(57)【要約】      （修正有）【課題】簡素な構成で、転倒の心配がなく、重心が低くて安定した構造を有し、クランプ用部品を介して、広範囲で任意の位置に、使用者の障害、疾患、怪我の種類、体格や症状の違い、障害や身体の発達の状況等に応じた最適な上部構造物を選択して簡便かつ確実に固定することができ、各種訓練や移動等に使用することができる量産性、安全性、汎用性、機能性、取扱い性に優れたモジュール型歩行器を提供する。【解決手段】歩行器本体１が、水平部３と水平部の両端からそれぞれ延設された前方脚部４ａ、４ｂ及び後方脚部５とを有する左右一対の側部フレーム２と、各々の側部フレームの水平部に長手方向と平行に形設された凸条の回転止め部６と、を備える。さらに、上部構造物の脚部を着脱自在に保持すると共に回転止め部と係合する当接面を有するクランプ用部品１０が、歩行器本体１の各々の側部フレーム２の水平部の長手方向の任意の位置に着脱自在に配設される。【選択図】図６
0003163873.tif 000002
【実用新案登録請求の範囲】
【請求項１】
使用者の障害、疾患、怪我の種類、体格や症状の違い、障害や身体の発達の状況に応じて上部構造物を選択して歩行器本体に取り付け、訓練や移動に用いる歩行器であって、
前記歩行器本体が、水平部と前記水平部の両端からそれぞれ延設された前方脚部及び後方脚部とを有する左右一対の側部フレームと、各々の前記側部フレームの前記水平部に長手方向と平行に形設された凸条の回転止め部と、を備え、
前記上部構造物の脚部を着脱自在に保持すると共に前記回転止め部と係合する当接面を有するクランプ用部品が、前記歩行器本体の各々の前記側部フレームの前記水平部の長手方向の任意の位置に着脱自在に配設されることを特徴とするモジュール型歩行器。
【請求項２】
前記歩行器本体が、左右の前記側部フレームの間を連結する１乃至複数本のクロスバーと、各々の前記側部フレームの前記前方脚部及び前記後方脚部の下端部に配設される車輪と、を備えたことを特徴とする請求項１に記載のモジュール型歩行器。
【請求項３】
前記歩行器本体が、左右の前記側部フレームの下部に前記水平部と平行に着脱自在に渡設される水平バーを備えたことを特徴とする請求項１又は２に記載のモジュール型歩行器。
【考案の詳細な説明】
【技術分野】
【０００１】
本考案は、身体の障害や疾患、怪我などで歩行が困難な人や身体が発達、成長途上にある人が歩行などの各種訓練や移動をする為に使うモジュール型歩行器に関するものである。
【背景技術】
【０００２】
従来、身体の障害や疾患、怪我などで歩行が困難な人のために様々な歩行器が提案されているが、訓練等に使われる歩行器としては、使用者の腕を支持するＵ字形のパッドを持つ歩行器が広く使われている。
また、体幹（胴体）の周囲を筒状のパッドで巻くような形で支えて、腕を肘掛などに乗せてベルト等で固定できる歩行器も存在する。
さらに、使用者の身体を支持したり、保護したりするための各種上部構造物や部品を選択して、用途に合った機能に組立てて使える歩行器も存在する。
尚、（特許文献１）には、車椅子として使用でき、折り畳み、分解可能な四輪歩行器が開示されている。
【先行技術文献】
【特許文献】
【０００３】
【特許文献１】実用新案登録第３０４７５６２号
【考案の概要】
【考案が解決しようとする課題】
【０００４】
（１）Ｕ字形のパッドのみを持つ歩行器では、体幹や首が不安定であったり、腕の力が弱い人にとっては、腕の力で体を十分に支えることができず、上半身が不安定になって、姿勢が崩れたり、転倒する恐れがあり、安定性に欠けるという課題があった。
（２）また、使用者ひとりひとりの身体サイズ、運動機能の状態が違うため、1台の歩行器を体格や症状が異なる複数の患者や障害や身体の発達による状態変化がある患者に対して使用する事が難しく、体幹（胴体）をベルト等で固定する歩行器の場合は、使用者の体格や症状に合わせた大きさ、高さ、パッドの形状などにオーダーメイドされるのが一般的であり、汎用性に欠けるという課題があった。
（３）従来の歩行器や（特許文献１）の歩行器などでは、同一人物が、安全にひとりで歩行器を使って移動する時の設定と歩行の訓練をする時の設定が違う場合、用途毎に歩行器を使い分ける必要があり、汎用性、機能性に欠けるという課題があった。
（４）また、上部構造物や部品の着脱、位置調節を行う場合に、構成が複雑で着脱や調節に時間がかかり、短時間の内に別の人や別の訓練に使う事が難しく、歩行器本体の形状や構造上の制約から、取り付け可能な上部構造や部品が限られ、選択可能な訓練の種類が少なく、取扱い性、汎用性、機能性に欠けるという課題があった。
【０００５】
本考案は上記従来の課題を解決するもので、簡素な構成で、転倒の心配がなく、重心が低くて安定した構造を有し、クランプ用部品を介して、広範囲で任意の位置に、使用者の障害、疾患、怪我の種類、体格や症状の違い、障害や身体の発達の状況等に応じた最適な上部構造物を選択して簡便かつ確実に固定することができ、各種訓練や移動等に使用することができる量産性、安全性、汎用性、機能性、取扱い性に優れたモジュール型歩行器の提供を目的とする。
【課題を解決するための手段】
【０００６】
上記従来の課題を解決するために本考案のモジュール型歩行器は、以下の構成を有している。
本考案の請求項１に記載のモジュール型歩行器は、使用者の障害、疾患、怪我の種類、体格や症状の違い、障害や身体の発達の状況に応じて上部構造物を選択して歩行器本体に取り付け、訓練や移動に用いる歩行器であって、前記歩行器本体が、水平部と前記水平部の両端からそれぞれ延設された前方脚部及び後方脚部とを有する左右一対の側部フレームと、各々の前記側部フレームの前記水平部に長手方向と平行に形設された凸条の回転止め部と、を備え、前記上部構造物の脚部を着脱自在に保持すると共に前記回転止め部と係合する当接面を有する前記クランプ用部品が、前記歩行器本体の各々の前記側部フレームの前記水平部の長手方向の任意の位置に着脱自在に配設される構成を有している。
この構成により、以下のような作用が得られる。
（１）歩行器本体が、水平部と水平部の両端からそれぞれ延設された前方脚部及び後方脚部とを有する左右一対の側部フレームと、各々の側部フレームの水平部に長手方向と平行に形設された凸条の回転止め部と、を備えているので、上部構造物の脚部を着脱自在に保持すると共に回転止め部と係合する当接面を有するクランプ用部品を側部フレームの水平部に取り付ける際に、クランプ用部品が側部フレーム周りに回転することがなく、クランプ用部品を簡便かつ確実に位置決め固定することができ、クランプ用部品の取り付け作業性、固定安定性に優れる。
（２）上部構造物の脚部を着脱自在に保持すると共に回転止め部と係合する当接面を有するクランプ用部品を備えるので、歩行器本体の各々の側部フレームにクランプ用部品を固定した状態で、簡便に上部構造物のみを着脱することができ、組立、分解、交換の作業性に優れる。
（３）各々の側部フレームの水平部に長手方向と平行に形設された凸条の回転止め部を備えるので、上部構造物の形状、大きさ、種類などに応じて、側部フレームの水平部の長手方向の最適な位置にクランプ用部品を取り付けて上部構造物を保持することができ、汎用性、固定安定性に優れる。
【０００７】
ここで、側部フレームはパイプ（円筒状）または円柱状の部材で形成したものが好適に用いられる。特に、水平部と前方脚部及び後方脚部を連続体で形成したものは剛性が高く、形状安定性、耐久性に優れ、好ましい。側部フレームの材質としては、鋼鉄、ステンレス、アルミニウム等の金属が好適に用いられる。
前方脚部及び後方脚部の形状は、適宜、選択することができる。例えば、垂直状でも円弧状でもよいし、垂直部と屈曲部や湾曲部を組み合わせて形成してもよい。
左右の側部フレームの間は、１乃至複数本のクロスバーで予め連結してもよいし、上部構造物を介して連結（一体化）してもよい。
回転止め部は、側部フレームの水平部に長手方向と平行に形設されていればよく、その位置は水平部の外周上の任意の位置を適宜、選択することができる。また、回転止め部の断面形状も適宜、選択することができる。回転止め部は水平部と一体に形成してもよいが、棒状や筒状の別部材を溶接などで固定してものが好適に用いられる。
【０００８】
クランプ用部品は、側部フレームの水平部に着脱自在に固定できるものであればよいが、水平部と回転止め部を挟持するものが着脱作業性、固定安定性に優れ、好ましい。特に、螺子止めで締め付けるものは強固に固定することができ、安全性に優れる。
また、クランプ用部品は、上部構造物の脚部を着脱自在に保持できるものであればよいが、上部構造物の脚部が摺動自在に挿通される挿通孔を有し、螺子止めやピン嵌合などによって脚部を固定するものが好適に用いられる。上部構造物の脚部の長手方向に複数の凹部又は孔部を形成しておけば、使用者の体格などに応じて上部構造物の高さを簡便に選択することができ、汎用性、取扱い性に優れる。
尚、上部構造物の脚部の数や配置は上部構造物の形状や種類などに応じて異なるので、それに応じてクランプ用部品の数や配置も適宜、選択することができる。
側部フレームの側面又は上面或いは回転止め部の側面に１乃至複数の孔を穿設したり、凹溝又は線状、矩形状、円形状、楕円形状などの任意の形状の窪みを形設したりすることによって、クランプ用部品及び各上部構造物や部品の取り付け位置の目安とすることができ、使用性に優れる。
【０００９】
上部構造物としては、テーブル、使用者の身体の少なくとも一部を支持若しくは保護するサポート具、使用者が掴まる水平横棒などがある。これらを選択することにより、使用者の障害、疾患、怪我の種類、体格や症状の違い、訓練の目的や用途などに対応することができ、汎用性、機能性、利便性に優れる。
サポート具は使用者の身体の少なくとも一部を支持若しくは保護できるものであればよく、従来公知のものを好適に用いることができる。具体的なサポート具としては、例えば使用者の体幹（胴体）の周囲を筒状のパッドで巻いて支持する体幹サポート、使用者の前腕を支持する前腕サポート、使用者の上肢を支持する上肢サポート、使用者が腰掛けることにより臀部を支持するサドル、使用者の股を支持する股ベルト、歩行器本体の幅方向中央部に前後方向と平行に立設されて使用者の左右の足が内方に倒れることを防止する内転防止板、使用者の仙骨を支持する仙骨パッド、使用者の骨盤を支持する骨盤パッド、歩行器本体の左右両側部に前後方向と平行に立設されて使用者の左右の足が外方に倒れることを防止する外転防止板、使用者が着座してモジュール型歩行器を椅子として使用するための座面などがある。
【００１０】
脚部は上部構造物の底部や側部などから垂設することができる。水平横棒は両端部に脚部を垂設して逆Ｕ字型などに形成することができる。
上部構造物の取り付け高さや角度などは使用者の体格や障害の種類や程度、訓練の種類などによって適宜、選択することができる。尚、体幹サポート、サドル、座面などを前傾させた場合、歩行器本体の前方に配置される水平横棒や前腕サポートなどに体重を預けるようにして楽な姿勢で簡単に歩行訓練を行うことやテーブルを利用することができ、使用性に優れる。
【００１１】
請求項２に記載の考案は、請求項１に記載のモジュール型歩行器であって、前記歩行器本体が、左右の前記側部フレームの間を連結する１乃至複数本のクロスバーと、各々の前記側部フレームの前記前方脚部及び前記後方脚部の下端部に配設される車輪と、を備えた構成を有している。
この構成により、請求項１で得られる作用に加え、以下のような作用が得られる。
（１）歩行器本体が、左右の前記側部フレームの間を連結する１乃至複数本のクロスバーを有することにより、歩行器本体の剛性を高めることができ、形状安定性、耐久性、堅牢性に優れる。
（２）歩行器本体が、各々の側部フレームの前方脚部及び後方脚部の下端部に配設される車輪を有することにより、四輪で歩行器本体を安全に支持しながら移動を行うことができ、歩行の安定性、安全性に優れる。
【００１２】
ここで、クロスバーは側部フレームの長手方向の任意の位置に配置することができる。また、クロスバーの形状は適宜、選択することができ、直線状のほか、コ字型や円弧状に形成してもよいし、所望の位置に屈曲部や湾曲部を設けてもよい。尚、クロスバーには側部フレームと同様の回転止め部を形設してもよい。クロスバーにクランプ用部品を取付けることにより、歩行器本体に取り付ける上部構造物の数、形状、配置の選択の幅が広がり、多種多様な上部構造物に対応することができ、汎用性、機能性に優れる。
車輪の種類は適宜、選択することができるが、自在車輪を使用することにより、旋回や方向転換などを容易に行うことができ、使用性に優れる。
尚、車輪をロックするロック機構を有することにより、ロック機構で車輪をロックして歩行器本体を確実に固定することができ、椅子として使用することや、立位訓練を行うことができ、安全性、機能性に優れる。
【００１３】
請求項３に記載の考案は、請求項１又は２に記載のモジュール型歩行器であって、前記歩行器本体が、左右の前記側部フレームの下部に前記水平部と平行に着脱自在に渡設される水平バーを備えた構成を有している。
この構成により、請求項１又は２で得られる作用に加え、以下のような作用が得られる。
（１）歩行器本体が、左右の側部フレームの下部に水平部と平行に着脱自在に渡設される水平バーを有するので、様々な部品を取り付けることや上部構造物と水平バーを連結して上部構造物を強固に支持することができ、汎用性、安全性、耐久性に優れる。
【００１４】
ここで、水平バーは、両端部を側部フレームの前方脚部及び後方脚部に螺子止めするなどして必要に応じて取り付けることができる。水平バーには、歩行や各種訓練に必要な部品を適宜、選択して取り付けることができる。例えば、使用者の足首を良肢位の範囲に保持する足首ベルトを取付けた場合、安全性に優れる。足首ベルトは使用者の体格などに応じて、水平バーの長手方向の任意の位置に取付けることができる。足首ベルトは使用者の足首に巻き付けるなどして取り付けるものが好適に用いられるが、特に面ファスナで取り付けるものは着脱作業性に優れ、好ましい。
【考案の効果】
【００１５】
以上のように、本考案のモジュール型歩行器によれば、以下のような有利な効果が得られる。
請求項１に記載の考案によれば、以下のような有利な効果が得られる。
（１）各種上部構造物をクランプ用部品によって歩行器本体の所望の位置に簡便かつ確実に取り付けることができ、各部品の着脱や位置調整などを短時間で容易に行うことが可能で、上部構造物及びクランプ用部品の着脱や交換の作業性、固定安定性、汎用性に優れたモジュール型歩行器を提供することができる。
【００１６】
請求項２に記載の考案によれば、請求項１に記載の効果に加えて以下のような有利な効果が得られる。
（１）高い剛性を有し、重心が低く、形状安定性、耐久性、堅牢性に優れると共に、車輪の接地性が良く、歩行の安定性、安全性に優れたモジュール型歩行器を提供することができる。
【００１７】
請求項３に記載の考案によれば、請求項１又は２に記載の効果に加えて以下のような有利な効果が得られる。
（１）必要に応じて水平バーの任意の位置に様々な部品を取り付けることや、上部構造物と連結して上部構造物を強固に支持することができる汎用性、安全性、耐久性に優れたモジュール型歩行器を提供することができる。
【図面の簡単な説明】
【００１８】
【図１】実施の形態１のモジュール型歩行器における歩行器本体の平面図
【図２】実施の形態１のモジュール型歩行器における歩行器本体の側面図
【図３】実施の形態１のモジュール型歩行器における歩行器本体の背面図
【図４】図２のＡ−Ａ線矢視断面図
【図５】実施の形態１のモジュール型歩行器の平面図
【図６】実施の形態１のモジュール型歩行器の側面図
【図７】（ａ）図６のＢ−Ｂ線矢視断面図（ｂ）図７（ａ）の側面図
【図８】実施の形態１のモジュール型歩行器におけるクランプ用部品の操作説明図
【考案を実施するための最良の形態】
【００１９】
以下、本考案の実施の形態におけるモジュール型歩行器について、図面を参照しながら説明する。
（実施の形態１）
図１は実施の形態１のモジュール型歩行器における歩行器本体の平面図であり、図２は実施の形態１のモジュール型歩行器における歩行器本体の側面図であり、図３は実施の形態１のモジュール型歩行器における歩行器本体の背面図である。
図１乃至図３中、１は実施の形態１のモジュール型歩行器における歩行器本体、２は金属製のパイプで形成された歩行器本体１の左右一対の側部フレーム、３は側部フレーム２の水平部、４は水平部３の前端から延設された前方脚部、４ａは前方脚部４の垂直部、４ｂは水平部３と垂直部４ａとの間に１／４円弧状に形成された前方脚部４の湾曲部、５は水平部３の後端から延設され１／４円弧状に形成され後方脚部、６は側部フレーム２の水平部３の下部に長手方向と平行に形設され後述するクランプ用部品の回転を防止する凸条の回転止め部、６ａは回転止め部６の側面に等間隔に刻設された複数の線状の窪み、７は側部フレーム２の前方脚部４の垂直部４ａ及び後方脚部５の下端部に形成された車輪取付部、８は金属製のパイプで形成され左右の側部フレーム３，３の間を前方脚部４の垂直部４ａで連結するクロスバー、８ａはクロスバー８の長手方向の中央部内側に固設されたコ字型の部品支持部である。
【００２０】
側部フレーム２は水平部３と前方脚部４及び後方脚部５を連続体で形成することにより、剛性が高く、形状安定性、耐久性に優れる。尚、前方脚部４及び後方脚部５の形状は、本実施の形態に限定されるものではなく、適宜、選択することができる。
また、クロスバー８の数、形状、位置も本実施の形態に限定されるものではなく、適宜、選択することができる。
部品支持部８ａはクロスバー８の任意の位置に任意の数だけ設けることができ、各種部品を取り付けたり、上部構造物と連結して上部構造物を支持したりできる。
【００２１】
次に、回転止め部について説明する。
図４は図２のＡ−Ａ線矢視断面図である。
図４中、６ｂは回転止め部６の上端側の両側部を水平部３の下部に溶接する溶接部である。このように、断面円形の棒状部材を水平部３の下部に溶接することにより、回転止め部６を形成することができる。
回転止め部６は、側部フレーム２の水平部３に長手方向と平行に形設されていればよく、その位置は水平部３の外周上の任意の位置を適宜、選択することができる。また、回転止め部６の断面形状も適宜、選択することができる。
【００２２】
上部構造物として、サポート具の中から体幹サポート及び上肢サポートを取り付けた場合について説明する。
図５は実施の形態１のモジュール型歩行器の平面図であり、図６は実施の形態１のモジュール型歩行器の側面図である。
図５及び図６中、１ａは歩行器本体１に上部構造物として後述する体幹サポート２０及び上肢サポート２５が取り付けられた実施の形態１のモジュール型歩行器、７ａは各々の側部フレーム２の車輪取付部７に取り付けられた４つのロック機構付きの自在車輪、９は左右の側部フレーム２の下部に水平部３と平行に渡設された水平バー（図６）、１０は歩行器本体１の各々の側部フレーム２の水平部３の長手方向の任意の位置に着脱自在に配設され後述する上部構造物の脚部を着脱自在に保持するモジュール型歩行器１ａのクランプ用部品、２０は上部構造物として歩行器本体１に取り付けられた体幹サポート、２１は使用者の胴体の周囲に巻き付けて体幹を支持する体幹サポート２０の筒状のパッド、２１ａはパッド２１の前面に配設されたコ字型のパッド固定具、２２ａは水平支持部２２の中央部上方に配設され上端部の軸支部２２ｂによってパッド固定具２１ａと連結されパッド２１を傾動自在に支持する傾動支持部、２２ｃは水平支持部２２の両端から垂設され側部フレーム２の水平部３の前方側に配設されたクランプ用部品１０で着脱自在に保持される体幹サポート２０の脚部、２３は一端がクロスバー８の部品支持部９に連結され他端がパッド２１のパッド固定具２１ａの下端部に回動軸２３ａで連結され伸縮によってパッド２１を傾動させて角度調整する体幹サポート２０のピストンシリンダ、２５は上部構造物として歩行器本体１に取り付けられた上肢サポート、２６は使用者の上肢を支持する上肢サポート２５の略Ｕ字型の上肢支持部、２６ａは上肢支持部２６の両外側から下方に垂設され側部フレーム２の水平部３の後方側に配設されたクランプ用部品１０で着脱自在に保持される上肢サポート２５の脚部である。
【００２３】
水平バー９は、両端部を側部フレーム２の前方脚部４及び後方脚部５に螺子止めするなどして固定することができる。水平バー９には、歩行や各種訓練に必要な部品を適宜、選択して取り付けたり、上部構造物と連結したりすることができる。例えば、水平バー９に取付けた足首ベルトで使用者の足首を良肢位の範囲に保持して、歩行器や上部構造物などの各部に足をぶつけることなどを防止でき、安全性に優れる。足首ベルトは使用者の体格などに応じて、水平バー９の長手方向の任意の位置に取付けることができる。足首ベルトは使用者の足首に巻き付けるなどして取り付けるものが好適に用いられるが、特に面ファスナで取り付けるものは着脱作業性に優れ、好ましい。
【００２４】
次に、実施の形態１のモジュール型歩行器におけるクランプ用部品について説明する。
図７は（ａ）は図６のＢ−Ｂ線矢視断面図であり、図７（ｂ）は図７（ａ）の側面図であり、図８は実施の形態１のモジュール型歩行器におけるクランプ用部品の操作説明図である。
図７中、１１はクランプ用部品１０の本体金具、１１ａ，１１ｂは本体金具１１の側面にそれぞれ円弧状に形成され側部フレーム２の水平部３及び回転止め部６の一側面に当接する当接面、１１ｃは本体金具１１の下端部に側部フレーム２の水平部３と直交する雌螺子部１１ｄが形設された雌螺子形設部、１１ｅは本体金具１１の頂部に形設されたフック部、１２は側部フレーム２の水平部３及び回転止め部６を挟んで本体金具１１と対向配置され本体金具１１と共に水平部３及び回転止め部６を挟持する押さえ金具、１２ａは本体金具１１のフック部１１ｅに回動自在に係止される押さえ金具１２の係止部、１２ｂは係止部１２ａから延設され側部フレーム２の水平部３の他側面に当接する押さえ金具１２の円弧状のフレーム押さえ部、１２ｃはフレーム押さえ部１２ｂから下方に延設され回転止め部６の他側面に当接する押さえ金具１２の当接片、１２ｄは当接片１２ｃの下端部に本体金具１１の雌螺子部１１ｄの位置に合わせて穿設された押さえ金具１２のボルト挿通孔、１３は押さえ金具１２のボルト挿通孔１２ｄに貫設され本体金具１１の雌螺子１１ｄに螺着される金具固定ボルト、１４は本体金具１１の鉛直方向に穿設され体幹サポート２０や上肢サポート２５などの上部構造物の脚部２２ｃ，２６ａが挿通される脚部挿通孔、１５は脚部挿通孔１４と直交して本体金具１１の側部に形設された雌螺子部、１６は本体金具１１の雌螺子部１５に螺合され先端を脚部２２ｃ，２６ａの表面に当接させて脚部２２ｃ，２６ａのがたつきを防止する脚部固定ボルト、１７は脚部挿通孔１４と直交して本体金具１１の側部に穿設されたプランジャ挿通孔、１８は脚部２２ｃ，２６ａの孔部２７に対して進退可能に本体金具１１のプランジャ挿通孔１７に挿通されるプランジャ、１９は本体金具１１のプランジャ挿通孔１７にプランジャ１８を摺動自在に保持するプランジャ操作レバー、２７は脚部２２ｃ，２６ａの長手方向に穿設された複数の孔部である。
【００２５】
次に、クランプ用部品の側部フレームへの取り付け方法及びクランプ用部品による上部構造物の脚部の固定方法について説明する。
まず、図７において、クランプ用部品１０の本体金具１１と押さえ金具１２により、側部フレーム２の水平部３及び回転止め部６を両側から挟み、金具固定ボルト１３を押さえ金具１２のボルト挿通孔１２ｄから挿通して本体金具１１の雌螺子部１１ｄに螺着してクランプ用部品１０を側部フレーム２に固定する。
次に、クランプ用部品１０の本体金具１１の脚部挿通孔１４に体幹サポート２０や上肢サポート２５などの上部構造物の脚部２２ｃ，２６ａを挿通し、プランジャ操作レバー１９を操作してプランジャ１８を脚部２２ｃ，２６ａの長手方向の任意の位置の孔部２７に挿通すると共に、本体金具１１の雌螺子部１５に螺合された脚部固定ボルト１６を締め付けて先端部を脚部２２ｃ，２６ａの表面に当接させて脚部２２ｃ，２６ａを固定する。
図７（ａ），（ｂ）の状態ではプランジャ１８の先端が脚部２２ｃ，２６ａの孔部２７に挿通されており、図８に示すように、プランジャ操作レバー１９を手前に倒すことにより、プランジャ１８が手前に引かれ、孔部２７から引き抜かれる。
【００２６】
本実施の形態では、図２に示したように、回転止め部６の側面に複数の線状の窪み６ａを等間隔に刻設した。これにより、クランプ用部品１０及び各上部構造物や部品の取り付け位置の目安とすることができ、使用性に優れる。尚、窪み６ａの形状は本実施の形態に限定されるものではなく、凹溝状又は矩形状、円形状、楕円形状などの任意の形状に形成することができる。また、窪み６ａの代わりに孔を穿設してもよい。尚、窪みや孔は側部フレーム２の側面や上面に設けてもよい。
クランプ用部品１０は、本実施の形態に限定されるものではなく、上部構造物の脚部を着脱自在に保持できるものであればよいが、本実施の形態のように、上部構造物の脚部が摺動自在に挿通される脚部挿通孔１４を有することにより、使用者の体格などに応じて上部構造物の高さを簡便に選択することができ、汎用性、取扱い性に優れる。
尚、クロスバー８にも側部フレーム２と同様の回転止め部６を形設することができる。クロスバー８にクランプ用部品１０を取付けることにより、歩行器本体１に取り付ける上部構造物の数、形状、配置の選択の幅が広がり、多種多様な上部構造物に対応することができ、汎用性、機能性に優れる。
【００２７】
以上のように実施の形態１におけるモジュール型歩行器は構成されているので、以下のような作用が得られる。
（１）歩行器本体が、水平部と水平部の両端からそれぞれ延設された前方脚部及び後方脚部とを有する左右一対の側部フレームと、各々の側部フレームの水平部に長手方向と平行に形設された凸条の回転止め部と、を備えているので、上部構造物の脚部を着脱自在に保持するクランプ用部品を側部フレームの水平部に取り付ける際に、クランプ用部品が側部フレーム周りに回転することがなく、クランプ用部品を簡便かつ確実に位置決め固定することができ、クランプ用部品の取り付け作業性、固定安定性に優れる。
（２）上部構造物の脚部を着脱自在に保持するクランプ用部品を有するので、歩行器本体の各々の側部フレームにクランプ用部品を固定した状態で、簡便に上部構造物のみを着脱することができ、組立、分解、交換の作業性に優れる。
（３）各々の側部フレームの水平部に長手方向と平行に形設された凸条の回転止め部を備えるので、上部構造物の形状、大きさ、種類などに応じて、側部フレームの水平部の長手方向の最適な位置にクランプ用部品を取り付けて上部構造物を保持することができ、汎用性、固定安定性に優れる。
（４）歩行器本体が、左右の前記側部フレームの間を連結する１乃至複数本のクロスバーを有することにより、歩行器本体の剛性を高めることができ、形状安定性、耐久性、堅牢性に優れる。
（５）歩行器本体が、各々の側部フレームの前方脚部及び後方脚部の下端部に配設される車輪を有することにより、四輪で歩行器本体を安全に支持しながら移動を行うことができ、歩行の安定性、安全性に優れる。
（６）車輪をロックするロック機構を有することにより、ロック機構で車輪をロックして歩行器本体を確実に固定することができ、椅子として使用することや、立位訓練を行うことができ、安全性、機能性に優れる。
（７）歩行器本体が、左右の側部フレームの下部に水平部と平行に着脱自在に渡設される水平バーを有するので、必要に応じて水平バーを利用して様々な部品を取り付けることや上部構造物と水平バーを連結して上部構造物を強固に支持することができ、汎用性、安全性、耐久性に優れる。
【産業上の利用可能性】
【００２８】
本考案は、簡素な構成で、転倒の心配がなく、重心が低くて安定した構造を有し、クランプ用部品を介して、広範囲で任意の位置に、使用者の障害、疾患、怪我の種類、体格や症状の違い、障害や身体の発達の状況等に応じた最適な上部構造物を選択して簡便かつ確実に固定することができ、各種訓練や移動等に使用することができる量産性、安全性、汎用性、機能性、取扱い性に優れたモジュール型歩行器を提供することができ、１台のモジュール型歩行器を体格や症状が異なる複数の患者や状態変化がある患者に対して使用することができる。
【符号の説明】
【００２９】
１  歩行器本体
１ａ  モジュール型歩行器
２  側部フレーム
３  水平部
４  前方脚部
４ａ  垂直部
４ｂ  湾曲部
５  後方脚部
６  回転止め部
６ａ  窪み
６ｂ  溶接部
７  車輪取付部
７ａ  自在車輪
８  クロスバー
８ａ  部品支持部
９  水平バー
１０  クランプ用部品
１１  本体金具
１１ａ，１１ｂ  当接面
１１ｃ  雌螺子形設部
１１ｄ  雌螺子部
１１ｅ  フック部
１２  押さえ金具
１２ａ  係止部
１２ｂ  フレーム押さえ部
１２ｃ  当接片
１２ｄ  ボルト挿通孔
１３  金具固定ボルト
１４  脚部挿通孔
１５  雌螺子部
１６  脚部固定ボルト
１７  プランジャ挿通孔
１８  プランジャ
１９  プランジャ操作レバー
２０  体幹サポート
２１  パッド
２１ａ  パッド固定具
２２  水平支持部
２２ａ  傾動支持部
２２ｂ  軸支部
２２ｃ，２６ａ  脚部
２３  ピストンシリンダ
２３ａ  回動軸
２５  上肢サポート
２６  上肢支持部
２７  孔部
【図１】
0003163873.tif 000003
【図２】
0003163873.tif 000004
【図３】
0003163873.tif 000005
【図４】
0003163873.tif 000006
【図５】
0003163873.tif 000007
【図６】
0003163873.tif 000008
【図７】
0003163873.tif 000009
【図８】
0003163873.tif 000010